【事件の表示】
　平成　６年特許願第５１８１２８号「同期読取りチャネル」拒絶査定不服審判事件〔平成　６年　８月１８日国際公開、ＷＯ９４／１８６７０、平成　８年　７月　９日国内公表、特表平　８−５０６４４５〕について、次のとおり審決する。
【結　論】
　本件審判の請求は、成り立たない。
【理　由】
第１　手続の経緯　
 　本願は、１９９４年１月３１日（優先権主張１９９３年２月１日、アメリカ）を国際出願とする出願であって、平成１５年３月１０日付けで手続補正がなされ、平成１５年１１月１４日付け最後の拒絶理由通知に対して、平成１６年５月２５日付けで手続補正がなされたが、平成１６年８月３日付けで補正の却下の決定がなされ、同日付で拒絶の査定がなされ、これに対し、平成１６年１１月１５日付けで拒絶査定不服審判が請求されるとともに、平成１６年１２月１５日付けで手続補正がなされたものである。　
　
第２　平成１６年１２月１５日付け手続補正についての補正却下の決定　
［補正却下の決定の結論］　
　平成１６年１２月１５日付けの手続補正を却下する。　
　
［理　由］　
１．補正後の本願発明  　
　平成１６年１２月１５日付けの手続補正（以下「本件補正」という。）は、特許請求の範囲についてするもので、本件補正前に   　
「１．　磁気記憶装置に記憶された磁極の遷移に応答して読取り信号を受け取り、信号によって表されるディジタル・データを回復する集積回路同期読取りチャネルにおいて、　
　読取り信号中の２進ディジタル信号タイミングを回復するタイミング制御信号を、読取り信号に応答して供給するタイミング回復回路と、　
　読取り信号を受け取り、かつ最小ラン・レングス制約ｄ＞０であり前記読取り信号によって表される可能性が高い対応する２進ディジタル信号シーケンスを、読取り信号に応答して判定するシーケンス検出器であって、２進ディジタル信号のシーケンスが構成される経路メモリ手段と、受け取った読取り信号を１組の理想的な読取り信号と比較する比較手段と、受け取った読取り信号に類似する理想的な読取り信号を選択し、したがって、選択された理想的な読取り信号に対応する経路メモリ中の２進ディジタル信号シーケンスを選択する選択手段とを有しているシーケンス検出器と　
　を備えることを特徴とする集積回路同期読取りチャネル。　
２．　前記タイミング回復回路が、　
　現ビット・タイミング誤差量に応答してタイミング誤差測定信号を供給するタイミング誤差測定回路と、　
　タイミング誤差測定回路から受け取ったタイミング誤差測定信号に応答して現タイミングを補正するタイミング補正回路と、　
　タイミング補正回路がいつタイミング誤差測定回路に応答するかを決定する検知回路と　
　を備えることを特徴とする請求項１に記載の集積回路同期読取りチャネル。　
３．　さらに、前記シーケンス検出器からの２進ディジタル信号のシーケンスまたは検知回路からの出力を選択する制御回路を備えることを特徴とする請求項２に記載の集積回路同期読取りチャネル。　
４．さらに、前記シーケンス検出器からの２進ディジタル信号のシーケンスを符号化することによってラン・レングス制限復号出力を供給するＲＬＬ（ｄ，ｋ）デコーダを備えることを特徴とする請求項１に記載の集積回路同期読取りチャネル。　
５．　前記タイミング回復回路が、ディジタル位相検出器とディジタル・タイミング・ループ・フィルタとを含むことを特徴とする請求項１に記載の集積回路同期読取りチャネル。　
６．　前記タイミング誤差測定回路が、ディジタル位相検出器を備え、前記タイミング補正回路が、ディジタル・タイミング・ループ・フィルタを備えることを特徴とする請求項に２記載の集積回路同期読取りチャネル。　
７．　読取り信号に応答して利得制御信号を供給する自動利得制御回路を備え、読取り信号が、磁気記憶装置の読取り信号のディジタル化サンプルを表すディジタル化読取り信号であり、  　
　前記自動利得制御回路には、ディジタル化読取り信号サンプルに応答するディジタル利得誤差検出器とディジタル利得ループ・フィルタが含まれる　
ことを特徴とする請求項１に記載の集積回路同期読取りチャネル。  　
８．　前記ディジタル利得ループ・フィルタが、可変利得増幅器の利得を直接制御するディジタル利得制御信号を供給することを特徴とする請求項７に記載の集積回路同期読取りチャネル。　
９．　前記ディジタル利得ループ・フィルタの係数がプログラム可能であることを特徴とする請求項７に記載の集積回路同期読取りチャネル。　
１０．　前記ディジタル利得誤差検出器が、プログラム可能な所望の信号レベルとディジタル化読取り信号の間の差に応答してディジタル利得誤差測定信号を供給することを特徴とする請求項７に記載の集積回路読取りチャネル。　
１１．　さらに、（ｉ）シーケンス検出器および（ｉｉ）タイミング回復回路のうちの少なくとも一方によってディジタル化読取り信号が受け取られる前に、前記ディジタル化読取り信号を修正するディジタル・パルス整形フィルタ回路を備えることを特徴とする請求項１に記載の集積回路同期読取りチャネル。　
１２．　前記ディジタル・パルス整形フィルタ回路が、プログラム可能なフィルタ・パラメータを含むことを特徴とする請求項１１に記載の集積回路同期読取りチャネル。　
１３．　さらに、ディジタル化読取り信号を、前記シーケンス検出器によって処理される前にフィルタして、ヘッド・バンプの影響を低減するスペクトル平滑フィルタ回路を備えることを特徴とする請求項１に記載の集積回路同期読取りチャネル。  　
１４．　前記スペクトル平滑フィルタが、プログラム可能な係数を含むことを特徴とする請求項１３に記載の集積回路同期読取りチャネル。　
１５．　前記スペクトル平滑フィルタがプログラム可能な遅延を含むことを特徴とする請求項１３に記載の集積回路同期読取りチャネル。　
１６．　読取り信号が、磁気記憶装置の読取り信号のディジタル化サンプルを表すディジタル化読取り信号であり、前記シーケンス検出器が、２連続チャネル・ビット時間中の磁気記憶装置の読取り信号のディジタル化サンプルを表す２つのディジタル化読取り信号を一度に処理することを特徴とする請求項１に記載の集積回路同期読取りチャネル。　
１７．　読取り信号が、磁気記憶装置の読取り信号のディジタル化サンプルを表すディジタル化読取り信号であり、前記タイミング回復回路が、２連続チャネル・ビット時間中の磁気記憶装置の読取り信号のディジタル化サンプルを表す２つのディジタル化読取り信号を一度に処理することを特徴とする請求項１に記載の集積回路同期読取りチャネル。」　
　
とあったものを、　
「　【請求項１】　磁気記憶装置に記憶された磁極の遷移に応答する読取り信号を受け取り、信号によって表されるディジタル・データを回復する集積回路同期読取りチャネルにおいて、　
　読取り信号中の２進ディジタル信号タイミングを回復するタイミング制御信号を、読取り信号に応答して供給するタイミング回復回路を備え、  　
　読取り信号を受け取り、かつ最小ラン・レングス制約ｄ＞０であり前記読取り信号によって表される可能性が高い対応する２進ディジタル信号シーケンスを、読取り信号に応答して判定するシーケンス検出器であって、２進ディジタル信号のシーケンスが構成される経路メモリ手段と、受け取った読取り信号を１組の理想的な読取り信号と比較する比較手段と、受け取った読取り信号に類似する理想的な読取り信号を選択し、したがって、選択された理想的な読取り信号に対応する経路メモリ中の２進ディジタル信号シーケンスを選択する選択手段とを有しているシーケンス検出器を備え、　
　
前記タイミング回復回路には、現ビット・タイミング誤差量に応答してタイミング誤差測定信号を供給するタイミング誤差測定回路と、タイミング誤差測定回路から受け取ったタイミング誤差測定信号に応答して現タイミングを補正するタイミング補正回路と、遷移の存在を検出する遷移検出器を含み、タイミング補正回路がタイミング誤差測定信号に応答する遷移時を決定する検知回路とが含まれれ、
　
さらに、読取り信号に応答して利得制御信号を供給する自動利得制御回路を備え、
　
読取り信号が、磁気記憶装置の読取り信号のディジタル化サンプルを表すディジタル化読取り信号であり、
　
前記自動利得制御回路には、ディジタル化読取り信号サンプルに応答するディジタル利得誤差検出器とディジタル利得ループ・フィルタが含まれ、前記ディジタル利得誤差検出器が、プログラム可能な所望の信号レベルとディジタル化読取り信号の間の差に応答してディジタル利得誤差測定信号を供給するものである、
ことを特徴とする集積回路同期読取りチャネル。　
　【請求項２】　さらに、前記シーケンス検出器からの２進ディジタル信号のシーケンスまたは検知回路からの出力を選択するマルチプレクサを備えることを特徴とする請求項１に記載の集積回路同期読取りチャネル。　
　【請求項３】　さらに、前記シーケンス検出器からの２進ディジタル信号のシーケンスを復号化することによってラン・レングス制限復号出力を供給するＲＬＬ（ｄ，ｋ）デコーダを備えることを特徴とする請求項１に記載の集積回路同期読取りチャネル。　
　【請求項４】　前記タイミング回復回路が、ディジタル位相検出器とディジタル・タイミング・ループ・フィルタとを含むことを特徴とする請求項１に記載の集積回路同期読取りチャネル。　
　【請求項５】　前記タイミング誤差測定回路が、ディジタル位相検出器を備え、前記タイミング補正回路が、ディジタル・タイミング・ループ・フィルタを備えることを特徴とする請求項１に記載の集積回路同期読取りチャネル。　
　【請求項６】　前記ディジタル利得ループ・フィルタが、可変利得増幅器の利得を直接制御するディジタル利得制御信号を供給することを特徴とする請求項１に記載の集積回路同期読取りチャネル。  　
　【請求項７】　前記ディジタル利得ループ・フィルタの係数がプログラム可能であることを特徴とする請求項１に記載の集積回路同期読取りチャネル。　
　【請求項８】　さらに、（ｉ）シーケンス検出器および（ｉｉ）タイミング回復回路のうちの少なくとも一方によってディジタル化読取り信号が受け取られる前に、前記ディジタル化読取り信号を修正するディジタル・パルス整形フィルタ回路を備えることを特徴とする請求項１に記載の集積回路同期読取りチャネル。　
　【請求項９】　前記ディジタル・パルス整形フィルタ回路が、プログラム可能なフィルタ・パラメータを含むことを特徴とする請求項８に記載の集積回路同期読取りチャネル。　
【請求項１０】　さらに、ディジタル化読取り信号を、前記シーケンス検出器によって処理される前にフィルタして、ヘッド・バンプの影響を低減するスペクトル平滑フィルタ回路を備えることを特徴とする請求項１に記載の集積回路同期読取りチャネル。　
　【請求項１１】　前記スペクトル平滑フィルタが、プログラム可能な係数を含むことを特徴とする請求項１０に記載の集積回路同期読取りチャネル。
　【請求項１２】　前記スペクトル平滑フィルタがプログラム可能な遅延を含むことを特徴とする請求項１０に記載の集積回路同期読取りチャネル。　
　【請求項１３】　読取り信号が、磁気記憶装置の読取り信号のディジタル化サンプルを表すディジタル化読取り信号であり、前記シーケンス検出器が、２連続チャネル・ビット時間中の磁気記憶装置の読取り信号のディジタル化サンプルを表す２つのディジタル化読取り信号を一度に処理することを特徴とする請求項１に記載の集積回路同期読取りチャネル。  　
　【請求項１４】　読取り信号が、磁気記憶装置の読取り信号のディジタル化サンプルを表すディジタル化読取り信号であり、前記タイミング回復回路が、２連続チャネル・ビット時間中の磁気記憶装置の読取り信号のディジタル化サンプルを表す２つのディジタル化読取り信号を一度に処理することを特徴とする請求項１に記載の集積回路同期読取りチャネル。」  　
 　 
と上記下線部の構成要件を追加する補正をしようとするものである。　
　ここで、本件補正後の請求項２（以下「本件補正後発明」という。） について検討する。　
　本件補正後発明は、本件補正前の請求項２に記載された発明に請求項７を引用する請求項１１の「読取り信号に応答して利得制御信号を供給する自動利得制御回路」を追加して項番をくり上げるものであるが、補正により追加された「読取り信号に応答して利得制御信号を供給する自動利得制御回路」は、本件補正後発明の基礎となる本件補正前の請求項２にはなかった構成要件を付加するもので、本件発明特定事項を限定するものでなく、平成１８年改正前特許法第１７条の２第２項に規定された「特許請求の範囲の減縮」を目的とするものとは認められない。　
　また、本件補正後発明は、本件補正前の請求項１０に記載された発明に「マルチプレクサ」を追加するものとも言えるが、この場合においても、補正により追加された「マルチプレクサ」は、本件補正前発明にはなかった構成要件の付加で、課題解決手段、すなわち、発明特定事項のいずれを限定するものではなく、本件補正後発明は平成１８年改正前特許法第１７条の２第２項に規定された「特許請求の範囲の減縮」を目的とするものとは認められない。　
　要するに、本件補正前に「タイミング回復回路」「シーケンス検出器」「自動利得制御回路」「マルチプレクサ」の構成要件を同時にもつ「集積回路同期読取チャネル」はなかったものであり、本件補正前のいずれの請求項を基礎としても本件補正後の請求項２は本件補正前にはなかった構成の要件を付加するものであり、本件補正後発明は平成１８年改正前特許法第１７条の２第２項に規定された「特許請求の範囲の減縮」を目的とするものとは認められない。　
　そして、本件補正が、特許法第１７条の２第３項第１，３，４号に規定された「誤記の訂正」「請求項の削除」「明りょうでない記載の釈明」のいずれにも該当しないことは明らかである。　
　
　以上のとおり、本件補正は、平成１８年改正前特許法第１７条の２第３項第１〜４号に規定された目的のいずれにも該当しないものであるから、特許法第１５９条第１項で読み替えて準用する同法第５３条第１項の規定により却下すべきものである。　
　
第３　本願発明について　
１．本願発明　
　平成１６年１２月１５日付けの手続補正は上記のとおり却下されたので、本願の請求項１乃至１７に係る発明は、平成１５年３月１０日付け手続補正書により補正された明細書の特許請求の範囲の請求項１乃至１７に記載された事項により特定されるとおりのものであるところ、請求項１に係る発明（以下「本願発明」）は、「第２［理由］１．」に本件補正前の請求項１として記載したとおりのものである。　
　
２．刊行物及びその記載　
　原査定の拒絶の理由に引用された刊行物である特開平４−３０３０６号公報（以下「刊行物１」という。）には、記録装置ビタビ等化器及び記録装置について、図面とともに以下の記載がある。（なお、下線は当審で付与した。）　
  　
（１）「第１図は本発明に係る原理説明図である。　
　第１図に示されるように、
本発明に係るビタビ等化器を用いた記録装置は、記録データをＲＬＬ記録符号データに記録符号化する記録符号器１０１と、記録符号器１０１からのＲＬＬ記録符号データを記録・再生する記録再生系１０２と、記録再生系１０２から読み出したＲＬＬ記録符号データを等化する本発明に係るビタビ等化器１０３と、ビタビ等化器１０３で等化後のＲＬＬ記録符号データを復号して再生データを出力する記録符号器１０４とを具備してなる。
（２）「
上述のビタビ等化器において、最尤パス判定回路は、各ノードのブランチメトリックを計算する分配器と、分配器からのブランチメトリックに基づいてパスメトリックを計算し比較して生残りパスを選択しそのパス選択信号を出力する演算部と、演算部からのパス選択信号によって最尤パスのパス履歴を生成する
（３）「［実施例］　
　以下、図面を参照して本発明の詳細な説明する。　
　
第２図には本発明の一実施例としてのビタビ等化器を用いた磁気ディスク装置が示される。この磁気ディスク装置では、記録データは記録符号器１１により磁気記録符号に−たん磁気記録符号化されて記録再生系１２のディスク盤に記録される。この記録再生系１２から読み出されたヘッド再生電流はＡ／Ｄ変換器１３を経てビタビ等化器１４に入力され、符号間干渉を取り除く等化が行われて、その等化出力が記録復号器１６に入力される。記録復号器１６は記録符号器１１で符号化された磁気記録符号を復号して再生データを出力する。クロック抽出器１５は記録再生系１２からタイミングクロックを抽出してＡ／Ｄ変換器１３とビタビ等化器１４に供給する。
　記録符号器１１で用いる磁気記録符号としては、データの反転期間を制限したＲＬＬ（Run Length Limited）磁気記録符号が用いられる。
このＲＬＬ磁気記録符号としては種々の形態があるが、ここでは（１，７）符号を用いるものとする。
　
　上記摘示事項を、図面とともに総合整理すると、刊行物１には以下の発明が記載されているものと認める。　
「記録データが磁気記録符号化されて記録再生系のディスク盤に記録され、記録再生系から読み出されたヘッド再生電流をＡ／Ｄ変換器を経てビタビ等化器に入力し、符号間干渉を取り除く等化が行われて、その等化出力を記録復号器に入力し、磁気記録符号を復号して再生データを出力する磁気ディスク装置において、　
磁気記録符号として、ＲＬＬ（１，７）符号を用い、　
記録再生系からタイミングクロックを抽出してＡ／Ｄ変換器とビタビ等化器に供給するクロツク抽出器を備え、  　
ビタビ等化器の最尤パス判定回路が、　
ブランチメトリックに基づいてパスメトリックを計算し比較して生残りパスを選択しそのパス選択信号を出力する手段と、最尤パスのパス履歴を生成するパスメモリとを有する、　
磁気ディスク装置」（以下「刊行物発明」という。）　
　
　原査定の拒絶の理由に引用された刊行物である特開平１−３２０８２４号公報（以下「刊行物２」という。）には、ディジタル情報検出装置について、図面とともに以下の記載がある。（なお、下線は当審で付与した。）　
「〔技術分野〕　
　
本発明は、光ディスクあるいは磁気ディスクドライブ装置等に適用しうるＰＬＬ回路に係り、
〔従来の技術〕   
　
光ディスクあるいは磁気ディスクドライブ装置等のディジタル情報記憶装置においては、該装置に記憶された情報の再生時に、読取りデータを的確に抽出するための再生タイミングを示すクロックを生成するためにＰＬＬ（Phase Locked Loop）回路が使用される。
　
第５図は、従来より用いられているＰＬＬ回路の一構成例であり、出力クロックの位相が入力の読取りデータの位相に追従するように動作するものである。
　
図において、１０１は入力の読取りデータと出力クロックとの位相を比較してその位相差を検出する位相比較器、１０２は固定の周波数を有する参照クロックと出力クロックとの位相差ならびに周波数差を検出する位相・周波数比較器、
　
１０４は上記位相比較器１０１または位相・周波数比較器１０２からの出力信号（Ｕｌ，Ｄ１）または（Ｕ２，Ｄ２）を平滑し、位相差に概略比例した電圧成分と該位相差の積分値に概略比例した電圧成分とを加算した電圧を発生ずるループフィルタ、１０５は上記ループフィルタ１０４からの出力電圧に基づいて、出力クロックの位相を読取りデータの位相または参照クロックの位相に追従させる電圧制御発振器（ＶＣＯ：Voltage Controlled Oscilater）である。
  　
３．本願発明と刊行物発明との対比 　
　
（１）刊行物発明の「記録再生系から読み出され」る「ヘッド再生電流」は、「磁気ディスク装置」の「ディスク盤」の磁束の変化に応答して出力される読取り信号であるから、本願発明の「磁気記憶装置に記憶された磁極の遷移に応答して読取り信号を受け取り」に相当する。また、刊行物発明の「再生データ」はデジタル・データであり、「符号間干渉を取り除く等化が行われて、その等化出力を記録復号器に入力し、磁気記録符号を復号して再生データを出力」しているから、本願発明と「信号によって表されるディジタル・データを回復する同期読取りチャネル」の点で共通する。  　
（２）刊行物発明の「クロック抽出器」は、「Ａ／Ｄ変換器とビタビ等化器」に「タイミングクロック」を「供給」する回路であり、本願発明の「タイミング制御信号を供給する回路」の点で共通する。　
（３）刊行物発明の「ＲＬＬ（１，７）符号」は、本願発明の「最小ラン・レングス制約ｄ＞０」に相当する。　
（４）刊行物発明の「最尤パスのパス履歴を生成するパスメモリ」は、本願発明の「２進ディジタル信号のシーケンスが構成される経路メモリ手段」に相当し、刊行物発明の「ブランチメトリックに基づいてパスメトリックを計算し比較」する手段は、本願発明の「受け取った読取り信号を１組の理想的な読取り信号と比較する比較手段」に相当し、刊行物発明の「生残りパスを選択」する手段は、本願発明の「受け取った読取り信号に類似する理想的な読取り信号を選択し、したがって、選択された理想的な読取り信号に対応する経路メモリ中の２進ディジタル信号シーケンスを選択する選択手段」に相当するから、刊行物発明の上記「ビタビ等価器の最尤パス判定回路」は、本願発明の「読取り信号を受け取り、かつ最小ラン・レングス制約ｄ＞０であり前記読取り信号によって表される可能性が高い対応する２進ディジタル信号シーケンスを、読取り信号に応答して判定するシーケンス検出器であって、２進ディジタル信号のシーケンスが構成される経路メモリ手段と、受け取った読取り信号を１組の理想的な読取り信号と比較する比較手段と、受け取った読取り信号に類似する理想的な読取り信号を選択し、したがって、選択された理想的な読取り信号に対応する経路メモリ中の２進ディジタル信号シーケンスを選択する選択手段とを有しているシーケンス検出器」に相当する機能を備えている。　
  　
　したがって、本願発明と刊行物発明との［一致点］及び［相違点］は以下のとおりである。　
  　
 　［一致点］  　
「磁気記憶装置に記憶された磁極の遷移に応答して読取り信号を受け取り、信号によって表されるディジタル・データを回復する同期読取りチャネルにおいて、　
　読取り信号中の２進ディジタル信号タイミングを回復するタイミング制御信号を、供給する回路と、　
　読取り信号を受け取り、かつ最小ラン・レングス制約ｄ＞０であり前記読取り信号によって表される可能性が高い対応する２進ディジタル信号シーケンスを、読取り信号に応答して判定するシーケンス検出器であって、２進ディジタル信号のシーケンスが構成される経路メモリ手段と、受け取った読取り信号を１組の理想的な読取り信号と比較する比較手段と、受け取った読取り信号に類似する理想的な読取り信号を選択し、したがって、選択された理想的な読取り信号に対応する経路メモリ中の２進ディジタル信号シーケンスを選択する選択手段とを有しているシーケンス検出器と　
　を備える同期読取りチャネル。」の点。　
　
　[相違点］　
相違点１　
　本願発明の「同期読取りチャネル」が集積回路であるのに対して、刊行物１にはその様な記載のない点。　
相違点２　
　タイミング制御信号が、本願発明では、読取り信号に応答して供給されるのに対して、刊行物１にはその様な記載のない点。  　
  　
４．当審の判断　
（相違点１について）　
　複数の機能部品をまとめて１つの集積回路として構成することは周知であり、刊行物１に記載された発明においても「Ａ／Ｄ変換器」「ビタビ等化器」「記録復号器」「クロック抽出器」等の「記録再生系」からデータを読み出すための回路を集積回路化して、上記相違点１の構成とすることは当業者が容易に想到し得ることである。　
（相違点２について）　
　刊行物２には、磁気ディスク装置において、読取りデータをＰＬＬ回路に入力し、出力クロックの位相を入力の読取りデータの位相に追従させることが記載されている。そして、刊行物１に記載された発明とは磁気ディスク装置からデジタルデータを読み出す際の技術である点で共通する。してみると、刊行物１に記載された発明においても、データを読み出すためのクロック抽出器の構成として、刊行物２に記載された読取りデータを入力して、読取りデータに応じて出力クロックの位相を追従させる構成を採用して、上記相違点２の構成とすることは当業者が容易に想到し得ることである。　
  　
５．むすび  　
　以上のとおり、本願の請求項１に係る発明は、特許法第２９条第２項の規定により特許を受けることができないものである。  　
　したがって、その余の請求項について論及するまでもなく、本願は、拒絶すべきものである。　
　よって、結論のとおり審決する。